(57)【要約】      （修正有）【課題】イヤホンを使用する際に該イヤホンコードの捻じれを低減し収納する際に円滑に作業を実施でき、収納性を高めたイヤホンコード収納具を提供する。【解決手段】イヤホンコードを巻き付けて収納する板状の胴体部１０を有するイヤホン収納具１００であって、イヤホンコードを巻き付ける方向の胴体部１０の両端に凸形状のイヤホンコード巻き付け部２０が備わり、当該凸部を使用してイヤホンコードを八の字巻することでイヤホンコードの捻じれを防止する。【選択図】図１
0003221656.tif 000002
【実用新案登録請求の範囲】
【請求項１】
イヤホンコードを巻き付けて収納する板状の胴体部を有するイヤホン収納具であって、イヤホンコードを巻き付ける方向の前記胴体部の両端にイヤホンコード巻き付け部が備わり、前記イヤホンコード巻き付け部の形状が凸形状または複数の切込み構造とすることを特徴とするイヤホンコード収納具。
【請求項２】
胴体部にはイヤホンプラグ直近側のコードとイヤホン本体側直近のコードを固定するための切込みが備わったことを特徴とする請求項１記載のイヤホンコード収納具。
【請求項３】
イヤホンコード巻き付け方向に対して胴体部が２つ折りを可能とする構造であることを特徴とする請求項１記載のイヤホンコード収納具。
【請求項４】
胴体部に八の字巻きしたイヤホンコードを押さえ付けるための係止部が備わっていることを特徴とする請求項１記載のイヤホンコード収納具。
【考案の詳細な説明】
【考案の詳細な説明】
【技術分野】
【０００１】本考案は、イヤホンコード絡み防止用のイヤホン収納具である。
【背景技術】
【０００２】例えば、有線式のイヤホンをカバン等に収納する場合に該イヤホンコードが絡みにより、次回使用する際にスムーズに使用できないことがある。これを解決するためのイヤホンコードの絡みを防止するためのイヤホン収納具などが提案されている。例えば、実開昭５４−１１４９２３号と特開２０１８−３７９１３号には平板にイヤホンコードを巻き付ける方法、特開２０１４−７５２６号と特開２０１７−２８６４３号にはイヤホンコードをドラムに巻き付ける方法でありイヤホンと一体構造となっている。
【先行技術文献】
【特許文献】
【０００３】
【特許文献１】実開昭５４−１１４９２３号公報
【特許文献２】特開２０１８−３７９１３号公報
【考案の概要】
【考案が解決しようとする課題】
【０００４】しかしながら、上記の平板式のイヤホン収納具では該イヤホンコードを平板にシングル巻きするために実際にイヤホンを使用する場合に該イヤホンコードに捩れなどが生じ、次回収納する場合に巻き取り難いという課題があった。このことはドラム式の巻き取り器についても同様である。このコードの捩れを抑制するためには平板を大きくしたりやドラム径を大きくすればよいが、携帯することを勘案すれば収納性が良いコンパクトな収納具が好まれる。本考案は、上記の課題を解決するためにイヤホンを使用する際に該イヤホンコードの捻じれを低減し収納する際に円滑に作業を実施でき、収納性を高めたイヤホン収納具を提供するものである。
【課題を解決するための手段】
【０００５】上記課題に鑑み、考案者は誠意工夫の結果、イヤホンコードを巻き付けて収納する板状のイヤホン収納具であって、前記イヤホンコード巻き付け方向の両端にはイヤホンコード巻き付け部が備わり、該イヤホンコード巻き付け部によりイヤホンコードを八の字巻き対応を可能とするために前記イヤホンコード巻き付け部の形状を凸形状または複数の切込み構造とすることで該イヤホンコードを八の字巻きが可能となる。【０００６】該イヤホンコード収納具の胴体部にはイヤホンプラグ側直近のコードとイヤホン本体側直近のコードを固定するための切込みが備わったイヤホンコード収納具である。【０００７】前記イヤホン収納具は、イヤホンコード巻き付け方向に対して胴体部が２つ折りを可能とする構造となっており、イヤホン収納具をコンパクトにできるため携帯性に優れる。また、２つ折りにすることでコードに与えるダメージを低減することが可能となり該コードの断線防止にも繋がる。【０００８】前記イヤホンコード収納具の胴体部には巻き付けたイヤホンコードを押さえ付けるための係止部を備えており、これにより該胴体部を２つ折りする際に該コードの浮き上がり防止となるためにコードに付加を掛けずに折りたたむことが可能となるイヤホンコード収納具である。
【考案の効果】
【０００９】本考案のイヤホン収納具は、イヤホンを使用する際に該イヤホンコードの捻じれを低減し収納する際に円滑に作業を実施でき、収納性を高めたイヤホン収納具を提供するものである。
【図面の簡単な説明】
【００１０】
【図１】本考案の一実施例であるイヤホンコード巻き付け部の形状を凸状にしたイヤホン収納具である。イヤホンコード巻き付け部の形状を凸状
【図２】本考案の一実施例であるイヤホンコード巻き付け部の形状を切込み状にしたイヤホン収納具である。
【図３】本考案の一実施例であるイヤホン収納具を２つ折り可能とし、イヤホンコード巻き付け部の両方に面ファスナーを取り付けたイヤホン収納具
【図４】本考案の一実施例であるイヤホン収納具を２つ折り可能とし、イヤホンコード巻き付け部近傍には面ファスナーと、イヤホンコードを抑えるバンドが備わったイヤホン収納具
【考案を実施するための形態】
【００１１】図面を参照しながら、本考案を実施するための形態について説明する。
【実施例】
【００１２】図１は、本考案の一実施例であるイヤホンコード巻き付け部の形状を凸形状にしたイヤホン収納具の平面図を示す。イヤホン収納具１００はテフロン製の板状の胴体部１０から成り、前記胴体部の対面方向に一対の凸形状のイヤホン巻き取り部２０が備わっている。図２は、本考案の一実施例であるイヤホンコード巻き付け部の形状を切込み状にしたイヤホン収納具の平面図を示す。イヤホン収納具１１０は板状の胴体部１２から成り、前記胴体部の対面方向には各々２本の切込み形状のイヤホン巻き取り部２５が備わっている。図１と図２の板状の胴体部に記す矢印の方向にイヤホンコードを巻き付けることにより八の字巻が可能となる。【００１３】図３は、本考案の一実施例であるイヤホン収納具を２つ折り可能とし、イヤホンコード巻き付け部の両方に面ファスナーを取り付けたイヤホン収納具の平面図である。イヤホン収納具１２０は図１のイヤホン収納具１００の一対の凸形状のイヤホン巻き取り部２０に面ファスナー４０を取り付け、胴体部１０には折り曲げ構造部５０を備えることにより２つ折りが可能となり、該胴体部を２つ折りにした後に該面ファスナーにて係止することでコンパクトなサイズとなる。また、前記胴体部の側面側にはイヤホンプラグ直近側のコードとイヤホン本体側直近のコードを固定するための切込み部３０が備わっている。【００１４】図４は、本考案の一実施例であるイヤホン収納具を２つ折り可能とし、イヤホンコード巻き付け部近傍には面ファスナーと、イヤホンコードを抑えるバンドが備わったイヤホン収納具の平面図を示す。イヤホン収納具１３０はテフロン製の板状の胴体部１０から成り、前記胴体部の対面方向に一対の凸形状のイヤホン巻き取り部２０と、当該巻き取り部２０の両端にはマグネットホック６０が固定された突起部２１が備わり、胴体部１０には折り曲げ構造部５０を備えることにより２つ折りが可能となり、該胴体部を２つ折りにした後に前記マグネットホック６０にて係止することでコンパクトなサイズとなる。また、前記胴体部の側面側にはイヤホンプラグ直近側のコードとイヤホン本体側直近のコードを固定するための切込み部３０が備わっている。【００１５】さらに、図４に記載のイヤホン収納具１３０には胴体部１０に面ファスナー４５と同じく面ファスナー４５を取り付けたイヤホンコード押し付けベルト７０が備わっている。これにより、イヤホンコードを八の字巻きした胴体部１０を折り曲げ構造部５０にて２つ折りする際に該イヤホンコードの浮き上がりを抑制し該イヤホンコードに負荷を掛けることがないため断線防止となる。【００１６】尚、本考案に係るイヤホン収納具の具体的な構造は、上記実施形態に限られたものでなく、考案の要旨を逸脱しない範囲で変更可能である。具体的には、折り曲げ構造部に関しては２分割した胴体部を蝶番にて固定する方法や胴体部にスリットを入れる構造とし、イヤホンプラグ直近側のコードとイヤホン本体側直近のコードを固定するための切込み部はイヤホンコード巻き取り部に備えても良い。【００１７】１０    板状の胴体部
１２    板状の胴体部
２０    凸形状のイヤホンコード巻き取り部
２１    突起部
２５    スリット形状のイヤホンコード巻き取り部
３０    切込み部
４０    面ファスナー
４５    面ファスナー
５０    折り曲げ構造部
６０    マグネットホック
７０    イヤホンコード押し付けベルト
【図１】
0003221656.tif 000003
【図２】
0003221656.tif 000004
【図３】
0003221656.tif 000005
【図４】
0003221656.tif 000006